(57)【要約】【課題】飲食店の厨房等に配置されて生ごみを直接投入される手押し型ごみ容器１０は、容器本体１１内の洗浄時の洗浄水排出用に底壁３１に排水口２８を有する。生ごみの汁等が排水口２８から漏出するのを防止するために、排水口２８は、栓により閉塞されるが、栓を介してごみの重量を受ける必要がある。排水口２８の近辺の強度の増大を抑制しつつ、排水口２８の径を増大させて、排水口２８がごみ詰まりし難いようにする。【解決手段】排水栓２７は、排水口２８の下端側からではなく、排水口２８の上端側から、すなわち容器本体１１の内面側から排水口２８に螺着して、排水口２８を開閉する構造とされる。【選択図】図１０
2010280499.tif 000002
【特許請求の範囲】
【請求項１】
上端部及び下端部にそれぞれごみ投入口及び底壁を有する容器本体、
前記底壁に形成されて前記底壁を上下方向に貫通する排水口、及び
前記排水口に前記容器本体の内面側から着脱自在に装着される栓、
を備えることを特徴とするごみ容器。
【請求項２】
前記栓は、着脱用治具の係止部が係止する着脱用の被係止部を上端部分に有することを特徴とする請求項１記載のごみ容器。
【請求項３】
前記栓は、前記被係止部をもちかつ下面側において前記底壁の上面に当たる鍔部と、該鍔部から垂下して前記排水口に螺着する軸部とを有することを特徴とする請求項２記載のごみ容器。
【請求項４】
前記鍔部は、前記鍔部の内部に形成され前記係止部としての帯部材が所定の中心角の扇形範囲で回転自在になっている被係止部としての内部空間と、前記鍔部の上面に開口し前記帯部材を上下に通過させて前記帯部材を前記内部空間へ出入りさせる通孔とを有することを特徴とする請求項３記載のごみ容器。
【請求項５】
前記内部空間は、前記鍔部の放射方向外側の端部において前記鍔部の側部に開口していることを特徴とする請求項４記載のごみ容器。
【請求項６】
請求項１〜５のいずれか１項に記載のごみ容器、及び
前記容器本体の上端より上の高さから装着状態の前記栓まで達する長さとされ下端部には前記栓を着脱する際に前記栓に係止する係止部をもつ着脱用治具、
を備えることを特徴とするごみ容器装置。
【発明の詳細な説明】
【技術分野】
【０００１】
本発明は、容器本体の底壁に排水口を有するごみ容器及びごみ容器装置に関する。
【背景技術】
【０００２】
容器本体内へ生ごみ等を投入されるごみ容器では、容器本体内を洗浄水で洗浄する時に、洗浄水を容器本体から排出するための排水口が容器本体の底壁に設けられている。
【０００３】
特許文献１は、排水口付きごみ容器を開示する。該ごみ容器は、容器本体の下面の４隅にキャスタを取り付けられるとともに、容器本体の底壁の上面は、周辺部から中央部の方へ徐々に下降する傾斜面とされ、排水口が該中央部に上下方向へ貫通して穿設されている（特許文献１の図２）。該排水口は常時開放されている（特許文献１の図２）。
【０００４】
特許文献２も、排水口付きごみ容器を開示する。該ごみ容器は、容器本体の下面の４隅にキャスタを取り付けられるとともに、容器本体の底壁の上面は、一端側から他端側へ徐々に下降する傾斜面とされ、排水口が他端側に上下方向へ貫通して穿設されている（特許文献２の図１及び図２）。該排水口は、底壁の下側から着脱される排水栓により開閉される（特許文献２の図１及び図２）。
【先行技術文献】
【特許文献】
【０００５】
【特許文献１】特開２０００−３０９４０３号公報
【特許文献２】特開平１０−８７００６号公報
【発明の概要】
【発明が解決しようとする課題】
【０００６】
特許文献１のごみ容器では、排水口に栓がないので、容器本体内の生ごみの汁等が排水口から漏出して、不衛生となる。
【０００７】
特許文献２のごみ容器では、排水口に栓が設けられ、該栓により生ごみの汁等が容器本体の下から漏出するのを防止できるものの、次のような問題点がある。
【０００８】
（ａ）床面と容器本体の下面との隙間は狭く、該隙間に手を入れて、栓を着脱するのは難しく、現実は、ごみ容器を横に倒したり、上下をひっくり返して、栓を着脱しており、手間がかかる。
【０００９】
（ｂ）排水口の径が小さいと、洗浄時に排水口がごみ詰まりし易く、これを回避するためには、排水口の径は大きい方が良い。しかしながら、栓には容器本体内のごみの重量がかかる。例えば、容器本体の容積が１００リットルで、ごみが容器本体に満杯になっている時のごみの重量は８０ｋｇに達する。排水口の径を増大すると、栓にかかるごみ重量も増大するので、下方への栓の脱落を回避するために、栓装着部の強度を増大させる必要があり、コスト高につながる。このため、特許文献２のごみ容器等の従来のごみ容器では、排水口の径は通常約３ｃｍであり、これではごみ詰まりを回避できない。
【００１０】
本発明の目的は、容器本体の栓装着部の強度増大を抑制しつつ、十分な大きさの排水口を確保することができるごみ容器及びごみ容器装置を提供することである。
【課題を解決するための手段】
【００１１】
本発明によれば、排水口を開閉する栓は、排水口の上側、すなわち容器本体の内面側から着脱する構造にされる。
【００１２】
本発明のごみ容器は次のものを備える。
上端部及び下端部にそれぞれごみ投入口及び底壁を有する容器本体、
前記底壁に形成されて前記底壁を上下方向に貫通する排水口、及び
前記排水口に前記容器本体の内面側から着脱自在に装着される栓。
【００１３】
本発明のごみ容器装置は次のものを備える。
前述の本発明のごみ容器、及び
前記容器本体の上端より上の高さから装着状態の前記栓まで達する長さとされ下端部には前記栓を着脱する際に前記栓に係止する係止部をもつ着脱用治具。
【発明の効果】
【００１４】
本発明によれば、排水口を開閉する栓が排水口の上側から着脱する構造にされることにより、栓装着部の面積を増大させるか、栓装着部以外の部位にも重量を受けさせることができ、この結果、栓装着部の強度増大を抑制しつつ、排水口の径を増大させることができる。
【図面の簡単な説明】
【００１５】
【図１】手押し型ごみ容器の側面図である。
【図２】手押し型ごみ容器の正面図である。
【図３】蓋を開いた状態で手押し型ごみ容器を上から見た図である。
【図４】排水栓を外した時の底壁の中央部を上から見た図である。
【図５】排水栓の平面図である。
【図６】排水栓の垂直断面図である。
【図７】隆起部の範囲を装着状態の排水栓と共に示す垂直断面図である。
【図８】着脱用治具の平面図である。
【図９】着脱用治具の側面図である。
【図１０】作業員が排水栓を排水口に着脱する時の説明図である。
【発明を実施するための形態】
【００１６】
図１及び図２は手押し型ごみ容器１０の側面図及び正面図である。なお、説明の便宜上、手押し型ごみ容器１０において、ごみ投入のユーザと対峙する側（参考：図１０）を正面と呼ぶことにする。また、手押し型ごみ容器１０の正面に向かって左右を手押し型ごみ容器１０の左右と呼び、手押し型ごみ容器１０の正面側及び背面側をそれぞれ手押し型ごみ容器１０の前側及び後ろ側と呼ぶことにする。
【００１７】
手押し型ごみ容器１０は容器本体１１を備え、容器本体１１は、上端に投入口１２をもつ。膨出部１３は、容器本体１１の上端の周部を囲いつつ、外方へ張り出している。ヒンジ部１４は、容器本体１１の上端部の後端部から上方かつ後方へ斜めに突出している。蓋１５は、一端側においてヒンジ部１４に回動自在に軸支され、投入口１２を開閉する。なお、ごみの種類ごとに蓋１５を色分けされた手押し型ごみ容器１０を複数、用意し、ごみの種類ごとに対応色の手押し型ごみ容器１０へごみを投入するようにしてもよい。
【００１８】
バー取付け部１６は、容器本体１１の前面の左右でかつ高さ方向中間部に設けられ、前方へ所定量、張り出している。バー１７は、左右方向へ水平に延び、両端部において左右のバー取付け部１６に結合している。バー１７は、パッカー車へごみを荷積みするときに、パッカー車のフックに掛けられる。
【００１９】
大径の後輪２０は、容器本体１１の後端の下端部の左右側面の外側に配置され、容器本体１１に回転自在に軸支されている。小径の前輪２１は、容器本体１１の前端部の下面の左右に配置され、容器本体１１に回転自在にブラケットを介して軸支されている。隆起部２３は、床面との間に所定の間隙を確保しつつ、容器本体１１の下面から下方へ所定量、隆起している。網収納部２４は隆起部２３の側部に開口している。
【００２０】
図３は蓋１５を開いた状態で手押し型ごみ容器１０を上から見た図である。容器本体１１は下端部に底壁３１を有し、排水栓２７が底壁３１の中央部に配設されている。底壁３１の上面は、周辺部から中央部の方へ徐々に傾斜する傾斜面とされ、容器本体１１内の洗浄時に洗浄水が中央部の方へ流れ易いようにしている。
【００２１】
図４は排水栓２７を外した時の底壁３１の中央部を上から見た図である。排水口２８は、横断面が円形であり、隆起部２３（図１及び図２）を上下方向へ貫通している。排水栓２７（図３）は、排水口２８に螺着するようになっている。網体２９は、隆起部２３の側部から網収納部２４（図１）内へ挿抜され、網収納部２４への挿入時では、排水口２８をその横断面全体にわたり広がっている。図４では、網体２９は円形に見えるが、実際は、網体２９は正方形であり、排水口２８を介して網体２９を見ているので、図４では円形になっているだけである。
【００２２】
容器本体１１内の洗浄時では、容器本体１１の内壁に付着している残渣が排水口２８を介して容器本体１１の外へ出ようとするが、所定寸法以上の残渣は、排水口２８の所に留められ、排水口２８の下端からの排出を阻止される。網体２９は正方形の所定厚さの周枠（図示せず）を有し、該周枠が網収納部２４の側部開口からの残渣の流出を阻止する。
【００２３】
手押し型ごみ容器１０の各部の寸法例を列挙すると、次のとおりである。
手押し型ごみ容器１０の高さ（蓋１５が投入口１２を閉めている時の床面から蓋１５の上面までの寸法）：約１ｍ。
手押し型ごみ容器１０の左右幅：約５０ｃｍ。
手押し型ごみ容器１０の前後寸法：約６０ｃｍ。
容器本体１１の容量：約１１０リットル。
手押し型ごみ容器１０の重量：約投入口１２ｋｇ。
容器本体１１の材料：ポリエチレン樹脂。
後輪２０の直径：約２０ｃｍ。
排水口２８の直径：約１５ｃｍ。
【００２４】
図５及び図６は排水栓２７の平面図及び垂直断面図である。排水栓２７は、上側の頭部３６と下側の軸部４３とを中心線を揃えて有している。頭部３６の上面は、周辺部から中央部へ徐々に高くなる湾曲面に形成されている。軸部４３の周部はねじ溝となっている。Ｏリング４４は、軸部４３に嵌装され、頭部３６の下面に接触している。
【００２５】
通孔３３は、頭部３６の上面に開口し、中心の円形部３４と、円形部３４から直径方向へ相互に反対方向へ延び出る１対の直線部３５とを有している。１対の扇空間３８は、所定の中心角で相互に反対方向へ広がるように、頭部３６内に形成され、通孔３３を介して頭部３６の上面に連通している。各扇空間３８は、放射方向外側の端の側部開口４０において頭部３６の側方へ開口している。
【００２６】
図７は隆起部２３の範囲を装着状態の排水栓２７と共に示す垂直断面図である。環状溝４９は排水口２８の上端周囲を環状に延び、Ｏリング４４は、排水栓２７の装着時では、頭部３６の下面により環状溝４９内に圧着される。
【００２７】
図８及び図９は着脱用治具５５の平面図及び側面図である。着脱用治具５５は、上下方向へ延びる棒５６を有する。棒５６の長さは、下端を装着状態の排水栓２７に着けて、上端が容器本体１１の上端よりさらに所定量突出する長さになっている（図１０）。左右突出軸５７は、棒５６の上端部において棒５６に対して直角に左右へ延び出し、グリップ５８は左右突出軸５７の両端部に装着されている。
【００２８】
円形ボス５９及び長方形の帯板状の厚板６０は、それぞれ上側及び下側の配置関係で棒５６の下端に固定されている。円形ボス５９の直径は円形部３４（図５）の直径にほぼ等しく、円形部３４において上下方向へ摺動自在になっている。上方視での厚板６０の形状及び寸法は上方視での直線部３５（図５）のそれらにほぼ等しく、厚板６０は直線部３５を上下方向へ通過自在になっている。厚板６０の厚さは扇空間３８（図６）の高さにほぼ等しく、厚板６０は、扇空間３８内を排水栓２７の中心軸線の周りに扇空間３８の中心角の範囲内で回転自在になっている。
【００２９】
図１０は作業員６５が排水栓２７を排水口２８に着脱する時の説明図である。図１０において、容器本体１１の内部を示すため、容器本体１１の前後方向中央部を破断している。作業員６５による排水栓２７の着脱を説明する前に、手押し型ごみ容器１０の使用説明を行う。手押し型ごみ容器１０は、飲食店の厨房における生ごみ、宴会場の残飯、病院の医療廃棄物等の主に業務用のごみ箱として使用される。これら生ごみ等は、ごみ袋に入れられることなく、そのまま、容器本体１１内へ投入される。このため、容器本体１１の内面は、汚れ、適宜、洗浄しなければならない。
【００３０】
ごみパッカー車が来ると、作業員６５は、手押し型ごみ容器１０を手押しして、ごみパッカー車の所へ運び、ごみパッカー車の荷積み機のフックにバー１７を掛ける。荷積み機は、手押し型ごみ容器１０を上昇させつつ、上下逆さまにして、容器本体１１内のごみをごみパッカー車へ落とし込む。荷積み機は、空になった手押し型ごみ容器１０を地面に下ろす。作業員６５は、空の手押し型ごみ容器１０を手押しして、すぐに元の場所へ戻すか、戻す前に容器本体１１内の洗浄を行う。
【００３１】
容器本体１１内の洗浄作業では、作業員６５は、着脱用治具５５を使って、排水栓２７を排水口２８から取り外す。作業員６５は、着脱用治具５５の上端のグリップ５８を把持して、着脱用治具５５の下端を容器本体１１内へ挿入する。作業員６５は、円形ボス５９及び厚板６０を、排水栓２７の円形部３４及び直線部３５にそれぞれ合わせてから、円形部３４及び直線部３５に押し込む。円形ボス５９及び厚板６０は、円形部３４及び直線部３５を下降して、扇空間３８に達する。
【００３２】
次に、作業員６５は、着脱用治具５５を排水栓２７の緩み方向へ回転させる。厚板６０は、扇空間３８内を排水栓２７に対して相対回転してから、扇空間３８の一方の端壁に当接し、当接後は排水栓２７と一体回転する。これにより、排水口２８への排水栓２７の螺合量は減少して、排水栓２７は、排水口２８を上昇し、やがて排水口２８から外れ、排水口２８は開放状態になる。
【００３３】
作業員６５は、着脱用治具５５を排水栓２７に係止したまま、着脱用治具５５を容器本体１１の外へ持ち出す。排水栓２７の扇空間３８には、排水栓２７が容器本体１１内にあった時、通孔３３を介してごみが侵入する。排水栓２７を洗浄する場合は、例えば、洗浄水を通孔３３から頭部３６内へ注入する。これにより、扇空間３８内の侵入ごみは側部開口４０から排水栓２７の外へ排出される。
【００３４】
容器本体１１内の洗浄は、ノズルから高圧水を容器本体１１の内面を吹き付けたり、洗浄水を注入しつつ、ブラシ等で容器本体１１の内面を擦ることにより行われる。容器本体１１の内面に付着していたごみ（残渣）は、洗浄水とともに、排水口２８から流出しようとするが、大きいごみは網体２９に引っ掛かり、網体２９に留まる。作業員６５は、場合によっては、網体２９を排水口２８から外して、すべてのごみを排水口２８から排出することもできる。
【００３５】
容器本体１１内の洗浄が終了すると、作業員６５は、排水栓２７を外した時と逆の順番で、排水栓２７を排水口２８へ装着する。すなわち、厚板６０で排水栓２７を係止したまま、着脱用治具５５の下端を容器本体１１内へ挿入し、排水栓２７の軸部４３を排水口２８に合わせ、排水栓２７を排水口２８の上端に押し付けつつ、着脱用治具５５を排水栓２７の締め方向へ回転させる。
【００３６】
厚板６０は、扇空間３８内を排水栓２７の離脱時とは逆方向へ排水栓２７に対して相対回転してから、扇空間３８の他方の端壁に当接して、その後は、排水栓２７は、着脱用治具５５と一体回転し、排水口２８の螺合量を増大させつつ、排水口２８を下降していく。
【００３７】
Ｏリング４４が環状溝４９に圧着状態になると、排水栓２７の装着が終了する。作業員６５は、着脱用治具５５を、厚板６０が着脱用治具５５に合わさる位置まで排水栓２７に対して相対回転させ、その後、円形ボス５９及び厚板６０を通孔３３から引き抜き、着脱用治具５５を排水栓２７から分離する。
【００３８】
手押し型ごみ容器１０を抽象化したごみ容器（以下、「本ごみ容器」という。）について説明する。本ごみ容器は、容器本体、排水口及び栓を備える。
【００３９】
容器本体は、上端部及び下端部にそれぞれごみ投入口及び底壁を有する。排水口は、底壁に形成されて、底壁を上下方向に貫通する。栓は、排水口に容器本体の内面側から着脱自在に装着される。
【００４０】
本ごみ容器の容器本体、排水口及び栓の具体例はそれぞれ容器本体１１、排水口２８及び排水栓２７である。
【００４１】
排水口に装着して排水口を開閉する栓を排水口の下端側からではなく、排水口の上端側から装着する構造を採用したことにより、底壁側の栓装着面積が増大するか、底壁において栓装着部以外の部位（例：図７において頭部３６の張出し下面を受けている底壁３１の部分）も栓を介するごみ重量を受け止めることになり、結果、容器本体における栓の装着部位の強度増大を抑制しつつ、排水口の径を増大させることができる。なお、排水口の径の増大は、容器本体内の洗浄時における排水口のごみ詰まり防止に寄与する。
【００４２】
典型的には、栓は、着脱用治具の係止部が係止する着脱用の被係止部を上端部分に有する。
【００４３】
着脱用治具の係止部及び栓の被係止部の具体例はそれぞれ着脱用治具５５の厚板６０及び排水栓２７の扇空間３８である。その他の例として、着脱用治具の係止部及び栓の被係止部をそれぞれループ及びフックの一方及び他方とすることもできる。
【００４４】
典型的には、栓は、被係止部をもちかつ下面側において底壁の上面に当たる鍔部と、該鍔部から垂下して排水口に螺着する軸部とを有する。
【００４５】
本ごみ容器の鍔部及び軸部の具体例は排水栓２７の頭部３６及び軸部４３である。栓のその他の構造例として、栓及び排水口を下つぼみのテーパ形状にするとともに、栓はワインの瓶のコルク栓のような弾性力及び摩擦力をもつ材料にし、栓を排水口に圧入することにより排水口に装着することもできる。
【００４６】
典型的には、鍔部は、鍔部の内部に形成され係止部としての帯部材が所定の中心角の扇形範囲で回転自在になっている被係止部としての内部空間と、鍔部の上面に開口し帯部材を上下に通過させて帯部材を内部空間へ出入りさせる通孔とを有する。
【００４７】
内部空間及び通孔の具体例はそれぞれ扇空間３８及び通孔３３である。着脱用治具の係止部としての帯部材の具体例は厚板６０である。
【００４８】
典型的には、内部空間は、鍔部の放射方向外側の端部において鍔部の側部に開口している。この具体例は、側部開口４０付きの扇空間３８である。内部空間が鍔部の側部に開口していることにより、内部空間に侵入したごみを栓の洗浄時に内部空間から円滑に排出することができる。
【００４９】
手押し型ごみ容器１０及び着脱用治具５５のセットを抽象化したごみ容器装置（以下、「本ごみ容器装置」という。）について説明する。本ごみ容器装置は、本ごみ容器及び着脱用治具を備える。本ごみ容器装置の着脱用治具は、容器本体の上端より上の高さから装着状態の栓まで達する長さとされ、下端部には栓を着脱する際に栓に係止する係止部をもつ。
【００５０】
容器本体の上下寸法が大きくかつ容器本体１１の横断面が小さい場合には、作業者が容器本体内へ手を突っ込んで、栓を着脱し難かったり、汚れたりする場合がある。本ごみ容器装置の着脱用治具はこれに対処することができる。なお、着脱用治具は、複数の本ごみ容器に対して共通に使用可能であるので、本ごみ容器と着脱用治具とは１：１ではなく、複数：１の関係で販売したり、別々に販売したりすることができる。
【００５１】
本明細書は様々な範囲及びレベルの発明を開示している。それら発明は、本明細書で説明した様々な技術的範囲及び具体的レベルの各装置だけでなく、拡張ないし一般化の範囲で、各装置から独立の作用、効果を奏する１つ又は複数の要素を抽出したものや、１つ又は複数の要素を拡張ないし一般化の範囲で変更したものや、さらに、各装置間で１つ又は複数の要素の組合せを入れ換えたものを含む。
【符号の説明】
【００５２】
１０：手押し型ごみ容器（ごみ容器）、１１：容器本体、２７：排水栓（栓）、２８：排水口、３１：底壁、３３：通孔、３６：頭部（鍔部）、３８：扇空間（被係止部、内部空間）、４０：側部開口、４３：軸部、５５：着脱用治具、６０：厚板（係止部）。
【図１】
2010280499.tif 000003
【図２】
2010280499.tif 000004
【図３】
2010280499.tif 000005
【図４】
2010280499.tif 000006
【図５】
2010280499.tif 000007
【図６】
2010280499.tif 000008
【図７】
2010280499.tif 000009
【図８】
2010280499.tif 000010
【図９】
2010280499.tif 000011
【図１０】
2010280499.tif 000012